(57)【要約】【課題】表示の自由度を向上させるとともに、遠視用画像と近視用画像とを併存可能なマルチプロジェクションシステムを提供する。【解決手段】複数のプロジェクターを備え、各プロジェクターから投射される投射画像を、少なくとも一部を重ね合わせて又は隣接させて投射するマルチプロジェクションシステム１であって、所定の画素密度の第１の投射画像（近視用画像）を表示する第１のプロジェクター２Ａと、第１の投射画像の画素密度とは異なる画素密度の第２の投射画像（遠視用画像）を表示する第２のプロジェクター２Ｅとを備えることを特徴とする。【選択図】図３
2014109696.tif 000002
【特許請求の範囲】
【請求項１】
複数のプロジェクターを備え、各プロジェクターから投射される投射画像を、少なくとも一部を重ね合わせて又は隣接させて投射するマルチプロジェクションシステムであって、
所定の画素密度の第１の投射画像を表示する第１のプロジェクターと、
前記第１の投射画像の画素密度とは異なる画素密度の第２の投射画像を表示する第２のプロジェクターと、を備える
ことを特徴とするマルチプロジェクションシステム。
【請求項２】
請求項１に記載のマルチプロジェクションシステムにおいて、
前記第１のプロジェクターと、前記第２のプロジェクターとは、投射画像の画角が異なる
ことを特徴とするマルチプロジェクションシステム。
【請求項３】
請求項１又は請求項２に記載のマルチプロジェクションシステムにおいて、
前記プロジェクターは、光源から出射された光を画像情報に応じて変調する光変調装置を備え、
前記第１のプロジェクターの光変調装置と、前記第２のプロジェクターの光変調装置とは、解像度が異なる
ことを特徴とするマルチプロジェクションシステム。
【請求項４】
請求項１から請求項３のいずれかに記載のマルチプロジェクションシステムにおいて、
前記第１のプロジェクターの投射距離と、前記第２のプロジェクターの投射距離とは、異なる
ことを特徴とするマルチプロジェクションシステム。
【請求項５】
請求項１から請求項４のいずれかに記載のマルチプロジェクションシステムにおいて、
前記第２のプロジェクターを複数組み合わせて全投射画像の表示領域を形成し、
前記第１の投射画像は、前記複数の第２のプロジェクターにより形成された前記表示領域の内部に投射される
ことを特徴とするマルチプロジェクションシステム。
【請求項６】
請求項１から請求項５のいずれかに記載のマルチプロジェクションシステムにおいて、
前記第１の投射画像及び前記第２の投射画像のうち、一方の投射画像は、他方の投射画像より所定の観察位置に近い位置に投射され、
前記一方の投射画像の画素密度は、前記他方の投射画像の画素密度より高い
ことを特徴とするマルチプロジェクションシステム。
【請求項７】
請求項６に記載のマルチプロジェクションシステムにおいて、
前記他方の投射画像は、前記一方の投射画像より上方に位置する
ことを特徴とするマルチプロジェクションシステム。
【発明の詳細な説明】
【技術分野】
【０００１】
本発明は、マルチプロジェクションシステムに関する。
【背景技術】
【０００２】
従来、複数のプロジェクターのそれぞれから被投射面に投射される画像がタイル状に隣接するように各プロジェクターを設置して画像を表示するタイリング方式のマルチプロジェクションシステムが知られている。このようなマルチプロジェクションシステムは、通常よりも大きな投射画像を表示することができるので、大画面の投射画像によって遠方の観察者に投射画像を視認させ、興味を引かせる広告方法として活用されることがある。
【０００３】
ところで、複数のプロジェクターを用いて画像をタイリング表示すると、各画像の繋ぎ目が目立ちやすいという問題がある。特に、各投射画像により形成される全体画像の中央部分では、このような問題が顕著である。
これに対し、異なる画像表示サイズフォーマットを有する複数のプロジェクターと、当該複数のプロジェクターの画像表示サイズフォーマット及び設置位置に基づいて、表示画像情報を分割及び制御して形成された分割画像情報を複数のプロジェクターのそれぞれに出力するコントローラーとを、備えたマルチプロジェクションシステムが提案されている（例えば、特許文献１参照）。
【０００４】
この特許文献１に記載のマルチプロジェクションシステムでは、画像が投射される全領域のうち、最も注目される頻度の高い中央部を含む広い領域に画像を投射するプロジェクターとして高解像度のプロジェクターを用い、それ以外の複数の狭い領域に画像を投射するプロジェクターとして低解像度のプロジェクターを用いている。すなわち、当該マルチプロジェクションシステムでは、高解像度のプロジェクターで大きな画像を投射し、低解像度のプロジェクターで小さな画像を投射することで、全領域において表示される画像の画素密度が一定となるように画像を表示している。
なお、画素密度とは、被投射面における投射画像の画素密度である。
【先行技術文献】
【特許文献】
【０００５】
【特許文献１】特開２００７−２０６３５６号公報
【発明の概要】
【発明が解決しようとする課題】
【０００６】
ところで、近年、表示領域に対して近くにいる観察者が見るための近視用の画像（以下、近視用画像と称する）と、遠くにいる観察者が見るための遠視用画像（以下、遠視用画像と称する）を併存させ、例えば、遠くから観察する観察者に遠視用画像を視認させ注意を引き、近くにいる観察者に対して近視用画像で製品の詳細仕様等を視認させる広告方法が利用されている。このような広告方法は、従来、印刷媒体等で展開されていたが、印刷媒体等よりも、表示内容の切替が容易であり、動画表示等の高い自由度の内容の表示が可能なマルチプロジェクションシステムにおいても、上記広告方法への適用が要望されている。
【０００７】
しかしながら、特許文献１に記載のマルチプロジェクションシステムでは、被投射面に対して所定範囲の距離から全投射画像を見る場合しか想定されていない。例えば、画像の表示領域に対して遠くから画像を見る観察者に合わせて全投射画像の画素密度を設定した場合、表示領域に対して近くにいる観察者には、全投射画像が粗く見えてしまう。一方、表示領域に対して近くにいる観察者に合わせて全投射画像の画素密度を設定した場合、遠くにいる観察者に対しては不必要に高い画素密度の全投射画像が表示されることになる。そのうえ、高い画素密度の投射画像を表示するためには、全てのプロジェクターで解像度が高い高価なプロジェクターを使用したり、１つのプロジェクターによる表示領域を小さくしてプロジェクターの数を増やしたりする必要があり、コストが高くなってしまう。
このように、特許文献１に記載のマルチプロジェクションシステムでは、近視用画像と、遠視用画像とを併存させることができなかった。
【０００８】
これに対して、マルチプロジェクションシステムに、近視用画像を表示するためにフラットパネルディスプレイ（以下、ＦＰＤと称する）等の画像表示装置を組み合わせることも考えられる。しかしながら、ＦＰＤは、表示画面のサイズや形状に制限があるため、ＦＰＤを組み合わせた場合、表示される画像のサイズや形状が制限され、表示可能なコンテンツ等の表示内容や、投射画像のレイアウトといった表示の自由度が低下してしまう。
【０００９】
本発明は、表示の自由度を向上させるとともに、遠視用画像と近視用画像とを併存可能なマルチプロジェクションシステムを提供することを目的の一つとする。
【課題を解決するための手段】
【００１０】
本発明の一態様に係るマルチプロジェクションシステムは、複数のプロジェクターを備え、各プロジェクターから投射される投射画像を、少なくとも一部を重ね合わせて又は隣接させて投射するマルチプロジェクションシステムであって、所定の画素密度の第１の投射画像を表示する第１のプロジェクターと、前記第１の投射画像の画素密度とは異なる画素密度の第２の投射画像を表示する第２のプロジェクターと、を備えることを特徴とする。
【００１１】
ここで、第１のプロジェクターによって投射される第１の投射画像と、第２のプロジェクターによって投射される第２の投射画像とは、マルチプロジェクションシステムが備える複数のプロジェクターによって投射された全投射画像が表示される１つの表示領域に含まれており、第１の投射画像及び第２の投射画像は、一部が重なっていてもよく、一方が他方を含んでいてもよく、隣接していてもよい。
【００１２】
上記一態様によれば、１つの表示領域の中に、互いに異なる画素密度の投射画像を表示する第１のプロジェクターと第２のプロジェクターとを備えている。これにより、例えば、近い位置で観察する観察者に適した画素密度の近視用画像を第１の投射画像として第１のプロジェクターで投射する。一方、遠い位置で観察する観察者でも観察可能な近視用画像よりも低い画素密度の遠視用画像を第２の投射画像として第２のプロジェクターで投射するように構成することができる。従って、近視用画像と遠視用画像とを１つの表示領域に表示することができ、当該表示領域に対して近くから観察する観察者、及び遠くから観察する観察者のそれぞれに対して好適な画素密度の画像を表示することができる。
【００１３】
また、上記一態様によれば、１つの表示領域に近視用画像と遠視用画像とを併存させることができるので、近視用画像を表示するためにＦＰＤ等の他の表示装置を併用する必要がなく、プロジェクターを用いて画像を表示することができる。このように、ＦＰＤ等の表示領域の大きさや形状に制限がある表示装置を用いる必要がないので、表示領域の大きさや形状を任意に設定することができ、表示するコンテンツといった表示内容や投射画像のレイアウト等の表示の自由度を向上できる。
【００１４】
ここで、画像を媒体に印刷することにより、近視用画像と遠視用画像とを併存させることも可能ではあるものの、この場合、動画を表示できず、また、表示内容の切替には新たな画像を印刷し直す必要がある。
これに対して、上記一態様によれば、静止画のみならず動画を表示可能であり、表示内容の自由度を向上できる。例えば、電子広告として利用した場合に、動画を表示可能であるため、印刷物よりも観察者の注意を好適にひくことができる画像を表示でき、広告効果の向上を図ることができる。また、表示内容の切替も容易に行うことができる。
【００１５】
上記一態様では、前記第１のプロジェクターと、前記第２のプロジェクターとは、投射画像の画角が異なることが好ましい。
上記一態様によれば、投射画像の画角によって、投射画像の画素密度を異ならせることができる。例えば、プロジェクターの光源からの光束を画像情報に応じて変調する光変調装置の解像度や投射距離が同一の場合、投射光学装置によって拡大投射される投射画像の画角を大きくすることで画素密度を低くし、画角を小さくすることで画素密度を高くすることができる。従って、遠視用画像用のプロジェクターか、近視用画像用のプロジェクターかを投射画像の画角によって設定することができ、近視用画像と遠視用画像とを併存可能とするとともに、表示内容に応じたマルチプロジェクションシステムの構築を容易に行うことができる。
【００１６】
また、投射画像の画角が異なるプロジェクターを用いることにより、例えば、全てのプロジェクターをスクリーン等の被投射面から等距離の位置に設置する等、各プロジェクターから被投射面までの距離を適宜設定することができ、プロジェクターの設置位置の自由度を向上させることができる。
例えば、壁面等の平面状の被投射面に対して平行な面に沿って全てのプロジェクターを設置しても画素密度の異なる投射画像を投射できる。これにより、１つのラックに複数のプロジェクターを設置できる等、設置位置の簡素化を図ることができる。
【００１７】
また、平面状の被投射面に対して等距離の位置に全てのプロジェクターを設置することができるので、投射方向の前方に設置されたプロジェクターが、後方に設置されたプロジェクターの投射画像に干渉することがない。これにより、前方に設置されたプロジェクターによる投射画像への干渉を考慮せずにプロジェクターの設置位置を決定することができ、設置位置を容易に設定できる。
【００１８】
上記一態様では、前記プロジェクターは、光源から出射された光を画像情報に応じて変調する光変調装置を備え、前記第１のプロジェクターの光変調装置と、前記第２のプロジェクターの光変調装置とは、解像度が異なることが好ましい。
上記一態様によれば、光変調装置の解像度によって、投射画像の画素密度を異ならせることができる。例えば、投射画像の画角や投射距離が同一の場合、光変調装置の解像度を低くすることで画素密度を低く、解像度を高くすることで画素密度を高くすることができる。これにより、画素密度が近視用画像よりも低くてもよい遠視用画像を投射するためのプロジェクターとして、光変調装置の解像度が低い安価なプロジェクターを用いることができる。従って、マルチプロジェクションシステムを導入するためのコストを下げることができる。
【００１９】
上記一態様では、前記第１のプロジェクターの投射距離と、前記第２のプロジェクターの投射距離とは、異なることが好ましい。
上記一態様によれば、投射距離によって、投射画像の画素密度を異ならせることができる。例えば、光変調装置の解像度や投射画像の画角が同一の場合、遠視用画像を投射するプロジェクターの投射距離よりも、近視用画像を投射するプロジェクターの投射距離を小さくすることで、近視用画像と遠視用画像とを併存させることができる。これにより、遠視用画像及び近視用画像の各画像専用のプロジェクターを導入しなくても同一のプロジェクターを用いて、投射距離を適宜設定することで遠視用画像及び近視用画像を併存させることができる。従って、表示の内容に応じて投射距離を変更して画素密度を変更可能なので、マルチプロジェクションシステムを導入するためのコストを下げることができる。
【００２０】
上記一態様では、前記第２のプロジェクターを複数組み合わせて全投射画像の表示領域を形成し、前記第１の投射画像は、前記複数の第２のプロジェクターにより形成された前記表示領域の内部に投射されることが好ましい。
上記一態様によれば、複数の第２のプロジェクターで大画面の表示領域を形成して、遠視用画像を表示し、当該表示領域の中に第１のプロジェクターで近視用画像を表示することができる。これにより、遠視用画像及び近視用画像を組み合わせて、広告効果を一層向上させることができる。
【００２１】
上記一態様では、前記第１の投射画像及び前記第２の投射画像のうち、一方の投射画像は、他方の投射画像より所定の観察位置に近い位置に配置され、前記一方の投射画像の画素密度は、前記他方の投射画像の画素密度より高いことが好ましい。
上記一態様によれば、所定の観察位置から近い位置に投射された投射画像の画素密度が、遠い位置に投射された投射画像の画素密度よりも高くなっており、当該所定の観察位置にいる観察者が観察するのに適した画素密度に設定することができる。これにより、例えば、所定の観察位置にいる観察者に対して、近視用画像と遠視用画像とを１つの表示領域に表示することができる。
【００２２】
さらに、上記一態様では、前記他方の投射画像は、前記一方の投射画像より上方に位置することが好ましい。
上記一態様によれば、上方に表示される投射画像の画素密度を低くすることにより、所定の観察位置にいる観察者の水平方向の視線位置に当該所定の観察位置からの観察に適した近視用画像を投射でき、その上方に遠視用画像を投射できる。
また、遠視用画像を上方に投射することにより、当該観察者よりも被投影面から遠い位置にいる他の観察者も、所定の観察位置にいる観察者によって視界が妨げられることなく遠視用画像を観察できる。
【図面の簡単な説明】
【００２３】
【図１】本発明の第１実施形態に係るマルチプロジェクションシステムの概略構成を示すブロック図。
【図２】前記実施形態におけるプロジェクターの概略構成を示す図。
【図３】前記実施形態におけるプロジェクターの配置を示す模式図。
【図４】前記実施形態における投射画像の表示領域を示す模式図。
【図５】本発明の第２実施形態におけるプロジェクターの配置を示す模式図。
【図６】本発明の第３実施形態におけるプロジェクターの配置を示す模式図。
【図７】本発明の第４実施形態におけるプロジェクターの配置を示す模式図。
【図８】本発明の第５実施形態における全投射画像の一例を示す模式図。
【発明を実施するための形態】
【００２４】
［第１実施形態］
以下、本発明の第１実施形態を図面に基づいて説明する。
［マルチプロジェクションシステムの装置構成］
図１は、本実施形態に係るマルチプロジェクションシステム１の装置構成の概略を示すブロック図である。
なお、図１には、プロジェクター２Ａの主要部を示している。本実施形態では、プロジェクター２Ｂ，２Ｃ，２Ｄ，２Ｅ，２Ｆは、プロジェクター２Ａと基本的に同様の構成を有するので、以下、代表してプロジェクター２Ａの構成について説明する。
【００２５】
本実施形態に係るマルチプロジェクションシステム１は、複数のプロジェクター２Ａ，２Ｂ，２Ｃ，２Ｄ，２Ｅ，２Ｆと、当該複数のプロジェクター２Ａ，２Ｂ，２Ｃ，２Ｄ，２Ｅ，２Ｆを制御するコントローラー８と、を備え、各プロジェクター２Ａ〜２Ｆは、ＬＡＮ等のネットワークでコントローラー８と接続されている。
【００２６】
プロジェクター２Ａは、図１に示すように、画像情報に応じた画像光を形成して被投射面に投射する光学ユニット４と、プロジェクター２Ａを制御する制御装置７とを備える。
光学ユニット４は、光源装置４１と、光源装置４１から出射された光束を画像情報に応じて変調して画像光を形成する光変調装置としての液晶パネル４６と、液晶パネル４６によって変調された画像光を被投射面に拡大投射する投射レンズ６とを備える。なお、光学ユニット４を含むプロジェクター２Ａの構成については、後に詳述する。
【００２７】
制御装置７は、ＣＰＵ（Central Processing Unit）及び映像処理プロセッサー等を備える。この制御装置７は、前記映像処理プロセッサーにより構成される画像処理部７１と、光学ユニット４を制御する駆動制御部７２と、プロジェクター２Ａを制御するために必要な各種プログラム及びデータを記憶する記憶部７３とを備える。
【００２８】
画像処理部７１は、マルチプロジェクションシステム１を制御するコントローラー８から入力される画像情報に応じて、液晶パネル４６により形成されるマルチプロジェクションシステム１画面分の画像（フレーム）に対応する画像データを生成する。
駆動制御部７２は、生成された画像データに基づいて、液晶パネル４６を駆動するための駆動信号を液晶パネル４６に出力する。このほか、駆動制御部７２は、光源装置４１の点消灯及び発光光量を制御する制御信号を出力する。
【００２９】
第１のプロジェクターとして例示されるプロジェクター２Ａ，２Ｂ，２Ｃ，２Ｄは、被投射面に対して近い位置にいる観察者が観察するのに適した高い画素密度の近視用画像を第１の投射画像として投射する。
一方、第２のプロジェクターとして例示されるプロジェクター２Ｅ，２Ｆは、被投射面に対して遠い位置にいる観察者が観察可能な程度の低い画素密度の遠視用画像を第２の投射画像として投射する。
なお、本明細書において画素密度とは、被投射面における投射画像の画素密度である。
【００３０】
コントローラー８は、各プロジェクター２Ａ，２Ｂ，２Ｃ，２Ｄ，２Ｅ，２Ｆに画像情報を出力する。このコントローラー８は、ＣＰＵ、ＲＡＭ（Random Access Memory）及びフラッシュメモリー等の回路素子が実装された回路基板を備える。このコントローラー８は、各プロジェクター２Ａ，２Ｂ，２Ｃ，２Ｄ，２Ｅ，２Ｆを制御するための各種プログラムやデータを記憶している。コントローラー８は、前記各種プログラムやデータを用いて、表示画像に応じて、各プロジェクター２Ａ，２Ｂ，２Ｃ，２Ｄ，２Ｅ，２Ｆに出力すべき画像情報を生成し、生成した画像情報を出力する。なお、コントローラー８は、遠視用画像を投射するプロジェクター２Ｅ，２Ｆには、１つの大きな遠視用画像の部分画像に対応する画像情報を出力する。
【００３１】
このように構成されたマルチプロジェクションシステム１では、遠視用画像を投射するためのプロジェクター２Ｅ，２Ｆに遠視用画像の画像情報がコントローラー８から入力される。プロジェクター２Ｅ，２Ｆは、画像情報に基づいて形成した遠視用画像をタイル状に配置するように被投射面に投射して１つの大きな遠視用画像を表示する。また、近視用画像を投射するためのプロジェクター２Ａ，２Ｂ，２Ｃ，２Ｄに近視用画像の画像情報がコントローラー８から入力される。プロジェクター２Ａ，２Ｂ，２Ｃ，２Ｄは、画像情報に基づいて形成した近視用画像を、被投射面における当該大きな遠視用画像の周囲に表示したり、重ねて表示したりする。これにより、各プロジェクター２Ａ〜２Ｆからの全投射画像によって形成される１つの表示領域に、近視用画像と遠視用画像とが同時表示される（図４参照）。
【００３２】
なお、本実施形態では、複数の遠視用画像を用いて１つの大きな遠視用画像を形成するとして説明するが、本発明はこれに限らず、複数の遠視用画像を用いて２以上の独立した画像を形成するように構成してもよい。
また、本実施形態では、各プロジェクター２Ａ〜２Ｆは、ＬＡＮ等のネットワークでコントローラー８と接続されているとしたが、本発明はこれに限らない。近視用画像はそれぞれ独立した画像とすることができるので、この場合、近視用画像を投射するプロジェクター２Ａ，２Ｂ，２Ｃ，２Ｄは、それぞれ別のコントローラーに接続され、独立して制御されるように構成してもよい。
【００３３】
［プロジェクターの装置構成］
図２は、プロジェクター２Ａの概略構成を示す図である。
なお、上述のように、本実施形態では、プロジェクター２Ｂ，２Ｃ，２Ｄ，２Ｅ，２Ｆは、プロジェクター２Ａと基本的に同様の構成を有するので、以下、代表してプロジェクター２Ａの構成について説明する。
プロジェクター２Ａは、図に示すように、外装筐体３内部に収納される光学ユニット４を備える。
光学ユニット４は、光学部品用筐体５と、光学部品用筐体５に支持される投射光学装置としての投射レンズ６とを備える。なお、投射レンズ６は、複数のレンズによって構成される組レンズもよく、単一のレンズでもよい。
【００３４】
光学部品用筐体５には、光源装置４１と、照明光学装置４２と、色分離光学装置４３と、リレー光学装置４４と、３つの入射側偏光板４５と、光変調装置としての３つの液晶パネル４６と、３つの出射側偏光板４７と、色合成光学装置としてのクロスダイクロイックプリズム４８とが収納される。上記各部材４１〜４８は、図２に示すように、光学部品用筐体５内部に設定された照明光軸Ａｘ（光源装置４１から出射された光束の光軸）に対する所定位置に位置付けられる。
【００３５】
光源装置４１は、光源ランプ４１１及びリフレクター４１２を有し、平行光束を出射する。
照明光学装置４２は、第１，第２レンズアレイ４２１，４２２、偏光変換素子４２３、及び重畳レンズ４２４を有し、光源装置４１から出射された平行光束を複数の部分光束に分割する。
色分離光学装置４３は、ダイクロイックミラー４３１，４３２、及び反射ミラー４３３を有し、照明光学装置４２から出射された光束を赤（Ｒ），緑（Ｇ），青（Ｂ）の３つの色光に分離する。
【００３６】
リレー光学装置４４は、入射側レンズ４４１、リレーレンズ４４３、及び反射ミラー４４２，４４４を有し、色分離光学装置４３によって分離された各色光を入射側偏光板４５に導光する。
液晶パネル４６は、各色光を画像情報に応じて変調する。
クロスダイクロイックプリズム４８は、液晶パネル４６によって変調された各色光を合成する。
【００３７】
上述した構成により、光源装置４１から出射され照明光学装置４２を介した光束は、色分離光学装置４３にて赤（Ｒ），緑（Ｇ），青（Ｂ）の３つの色光に分離される。また、分離された各色光は、各液晶パネル４６にてそれぞれ変調される。変調された各色光は、クロスダイクロイックプリズム４８にて合成され、投射レンズ６にてスクリーンに投射される。
【００３８】
なお、本実施形態では、光変調装置として透過型の液晶パネル４６を備える構成としたが、本発明はこれに限らない。例えば、光入射面と光出射面とが同一となる反射型の液晶パネルを有する光変調装置を採用してもよい。また、光変調装置は液晶パネルに限らず、入射光を画像情報に応じて変調して光学像を形成する光変調装置であれば、他の構成の光変調装置を採用してもよい。例えば、マイクロミラーを用いたデバイスなど、液晶パネル以外の光変調装置を採用してもよい。
【００３９】
［プロジェクターの配置］
図３は、マルチプロジェクションシステム１の各プロジェクターの配置状態を示す図である。また、図４は、マルチプロジェクションシステム１の各プロジェクター２Ａ〜２ＦによってスクリーンＳｃに表示される各投射画像の表示領域を模式的に示す図である。
図３に示すように、プロジェクター２Ａ，２Ｂ，２Ｃ，２Ｄは、被投射面であるスクリーンＳｃに対して近い第１観察位置Ｐ１からの観察に適した画素密度を有する画像である近視用画像を投射する。これらプロジェクター２Ａ，２Ｂ，２Ｃ，２Ｄは、スクリーンＳｃから距離Ｌ１の位置に設置される、すなわち、投射距離が距離Ｌ１である。
また、図４に示すように、各プロジェクター２Ａ，２Ｂ，２Ｃ，２Ｄの投射画像である近視用画像の表示領域は、それぞれ領域Ａｒ１ａ，領域Ａｒ１ｂ，領域Ａｒ１ｃ，Ａｒ１ｄである。
【００４０】
図３に示すように、プロジェクター２Ｅ，２Ｆは、スクリーンＳｃに対して第１観察位置Ｐ１よりも遠い第２観察位置Ｐ２からの観察に適した画素密度を有する画像である遠視用画像を投射し、１つの大きな遠視用画像を表示する。
これらプロジェクター２Ｅ，２Ｆは、スクリーンＳｃから距離Ｌ２の位置に設置される、すなわち、投射距離が距離Ｌ２である。距離Ｌ２は、距離Ｌ１よりも大きく、プロジェクター２Ｅ，２Ｆは、プロジェクター２Ａと同様の解像度を有するので、プロジェクター２Ｅ，２Ｆの投射画像は、プロジェクター２Ａの投射画像よりも、画素密度が低くなっている。
また、図４に示すように、各プロジェクター２Ｅ，２Ｆの投射画像である遠視用画像の表示領域は、それぞれ領域Ａｒ２ａ，Ａｒ２ｂである。このように、画素密度が低い遠視用画像の表示領域Ａｒ２ａ，Ａｒ２ｂが、画素密度が大きい近視用画像の表示領域Ａｒ１ａ，領域Ａｒ１ｂ，領域Ａｒ１ｃ，Ａｒ１ｄよりも上方に配置されている。
【００４１】
ここで、第１観察位置Ｐ１からの観察に適した画素密度とは、第１観察位置Ｐ１から観察する観察者が、表示された画像に粗さを感じることがないような画素密度以上の値の画素密度であり、スクリーンＳｃから第１観察位置Ｐ１までの距離や、表示する画像の内容に応じて適宜設定すればよい。
また、距離Ｌ１は、所望の画素密度を有する近視用画像を表示可能なように、プロジェクター２Ａ，２Ｂ，２Ｃ，２Ｄの解像度に応じて適宜設定すればよい。
【００４２】
また、第２観察位置Ｐ２からの観察に適した画素密度とは、第２観察位置Ｐ２から観察する観察者が、表示された画像に少なくとも粗さを感じることがないような画素密度以上の値の画素密度であればよく、第１観察位置Ｐ１から観察する観察者には粗さを感じる画素密度であってもよく、スクリーンＳｃから第２観察位置Ｐ２までの距離や、表示する画像の内容に応じて適宜設定すればよい。
また、距離Ｌ２は、所望の画素密度を有する遠視用画像を表示可能なように、プロジェクター２Ｅ，２Ｆの解像度に応じて適宜設定すればよい。
【００４３】
ところで、上述のように、第１観察位置Ｐ１からの観察に適した近視用画像をプロジェクター２Ａ，２Ｂ，２Ｃ，２Ｄで投射し、第２観察位置Ｐ２からの観察に適した遠視用画像をプロジェクター２Ｅ，２Ｆで投射するとしたが、これに限らない。
すなわち、所定の観察位置、例えば、第１観察位置Ｐ１からの観察に適した近視用画像をプロジェクター２Ａ，２Ｂ，２Ｃ，２Ｄで投射し、当該観察位置からの観察に適した遠視用画像をプロジェクター２Ｅ，２Ｆで投射するようにしてもよい。
図３に示すように、第１観察位置Ｐ１からプロジェクター２Ａの投射領域Ａｒ１ａの中心位置（すなわち投射位置）までの距離をＬ３、プロジェクター２Ｅの投射領域Ａｒ２ａの中心位置までの距離をＬ４とする。
【００４４】
プロジェクター２Ａ及びプロジェクター２Ｅのうち、第１観察位置Ｐ１からの観察に適した近視用画像を、第１観察位置Ｐ１から投射位置までの距離が近いＬ３であるプロジェクター２Ａで投射する。一方、第１観察位置Ｐ１からの観察に適した遠視用画像を、距離が遠いＬ４であるプロジェクター２Ｅで投射する。また、プロジェクター２Ｂ，２Ｃ，２Ｄもプロジェクター２Ａと同様であり、プロジェクター２Ｆもプロジェクター２Ｅと同様である。
ここで、所定の観察位置とは、例えば、スクリーンＳｃが部屋や通路の壁面に設けられた場合の部屋の通路の水平方向及び鉛直方向の幅寸法、並びに階段の壁面に沿って設けられた場合の階段の位置や水平方向の幅寸法といったマルチプロジェクションシステム１が設置された環境や、表示内容等に応じて予め設定される、観察位置として推奨される位置である。
【００４５】
なお、本実施形態のプロジェクター２Ｅ，２Ｆは、図４に示すように、各投射画像を隣接させて１つの大きな遠視用画像を表示するとしたが、各プロジェクター２Ｅ，２Ｆの投射画像の境界部分の画像を一部重ね合わせるようにしてもよい。この場合、各投射画像の重なり部分における輝度は、中央部分の輝度と比べて略半分に減光されるように設定される。
【００４６】
本実施形態では、プロジェクター２Ａ，２Ｂ，２Ｅから投射された各画像の表示領域Ａｒ１ａ，Ａｒ１ｂ，Ａｒ２ａが隣接するように、プロジェクター２Ａ，２Ｂ，２Ｅが配置されている。また、プロジェクター２Ｃ，２Ｄ，２Ｆから投射された各画像の表示領域Ａｒ１ｃ，領域Ａｒ１ｄ，Ａｒ２ｂが隣接するように、プロジェクター２Ｃ，２Ｄ，２Ｆが配置されている。また、表示領域Ａｒ１ｂ，Ａｒ１ｃ，Ａｒ２ａ，Ａｒ２ｂが隣接するようにプロジェクター２Ｂ，２Ｃ，２Ｅ，２Ｆが配置されている。このようにして、プロジェクター２Ａ，２Ｂ，２Ｃ，２Ｄ，２Ｅ，２Ｆの各投射画像が、全表示領域Ａｒ０内に表示されている。
【００４７】
このように構成された本実施形態のマルチプロジェクションシステム１は、全表示領域Ａｒ０の中に、互いに異なる画素密度の投射画像を表示するプロジェクター２Ａ，２Ｂ，２Ｃ，２Ｄと、プロジェクター２Ｅ，２Ｆとを備えている。これにより、プロジェクター２Ａ，２Ｂ，２Ｃ，２Ｄで近視用画像を投射し、プロジェクター２Ｅ，２Ｆで遠視用画像を投射するように構成することができる。従って、近視用画像と遠視用画像とを１つの全表示領域Ａｒ０に表示することができ、当該全表示領域Ａｒ０に対して近くの第１観察位置Ｐ１から観察する観察者、及び遠くの第２観察位置Ｐ２から観察する観察者のそれぞれに対して好適な画素密度の投射画像を表示することができる。
【００４８】
また、１つの全表示領域Ａｒ０に近視用画像と遠視用画像とを併存させることができるので、近視用画像を表示するためにＦＰＤ等の他の表示装置を併用する必要がなく、プロジェクターを用いて画像を表示することができる。このように、ＦＰＤ等の表示領域の大きさや形状に制限がある表示装置を用いる必要がないので、表示領域の大きさや形状を任意に設定することができ、表示内容や投射画像のレイアウト等の自由度を向上できる。
【００４９】
また、近視用画像よりも遠視用画像の画素密度を低く設定することができるので、遠視用画像を表示するためのプロジェクター２Ｅ，２Ｆとして解像度が低い安価なプロジェクターを用いたり、１つのプロジェクターによる表示領域を大きくしてプロジェクターの個数の増大を抑制したりでき、設置のコストを抑制できる。
【００５０】
また、動画を表示できない印刷物と比較して、本実施形態のマルチプロジェクションシステム１によれば、静止画のみならず動画を表示可能であり、表示内容の自由度を向上できる。例えば、電子広告として利用した場合に、印刷物よりも観察者の注意を好適にひくことができる画像を表示でき、広告効果の向上を図ることができる。また、表示内容の切替も容易に行うことができる。
【００５１】
また、投射距離によって、投射画像の画素密度を異ならせることができる。これにより、遠視用画像及び近視用画像の各画像専用のプロジェクターを導入しなくても同一のプロジェクターを用いて、投射距離を適宜設定することで遠視用画像及び近視用画像を併存させることができる。従って、表示の内容に応じて投射距離を変更して画素密度を変更可能なので、マルチプロジェクションシステムを導入するためのコストを下げることができる。
【００５２】
また、プロジェクター２Ａ，２Ｅのうち、所定の観察位置である第１観察位置Ｐ１から投射位置までの距離が近い方のプロジェクター２Ａの投射画像の画素密度を高くし、遠い方のプロジェクター２Ｅの投射画像の画素密度を低くしている。
これにより、所定の観察位置から各投射位置までの距離に応じて投射画像の画素密度を当該観察位置にいる観察者が観察するのに適した値に設定することができる。このため、例えば、所定の観察位置にいる観察者からの観察に適した画素密度の近視用画像を当該観察者から見やすい位置に配置することができる。
【００５３】
また、投射画像の画素密度が低い方のプロジェクター２Ｅ，２Ｆの投射位置が、高い方のプロジェクター２Ａ，２Ｂ，２Ｃ，２Ｄの投射位置よりも上方に位置している。
このように、上方に表示される投射画像の画素密度を低くすることにより、第１観察位置Ｐ１にいる観察者の水平方向の視線位置に近視用画像を投射し、その上方には遠視用画像を投射できる。これにより、Ｓｃから近い位置である第１観察位置Ｐ１からの観察に適した近視用画像及び遠視用画像を当該観察者から見やすい位置に配置することができる。
また、遠視用画像を上方に投射することにより、第１観察位置Ｐ１よりも遠い第２観察位置Ｐ２にいる観察者も、第１観察位置Ｐ１にいる観察者によって視界が妨げられることなく遠視用画像を観察することができる。
【００５４】
［第２実施形態］
以下、本発明の第２実施形態について説明する。
第１実施形態のマルチプロジェクションシステム１では、投射距離によって投射画像の画素密度を異ならせるように構成したが、本実施形態のマルチプロジェクションシステムでは、投射レンズの光学特性に依存する投射画像の画角によって投射画像の画素密度を異ならせるように構成する。
本実施形態に係るマルチプロジェクションシステムと、上記第１実施形態のマルチプロジェクションシステム１とは、投射画像の画角で画素密度を異ならせる構成以外は、基本的に同様なので、以下の説明では、既に説明した部分と同一又は略同一である部分については説明を省略する。
【００５５】
図５は、第２実施形態に係るマルチプロジェクションシステム１Ａの各プロジェクターの配置状態を示す図である。
マルチプロジェクションシステム１Ａは、近視用画像を投射するプロジェクター２Ａ，２Ｂ，２Ｃ，２Ｄと、遠視用画像を投射するプロジェクター９Ａ，９Ｂと、を備える。なお、本実施形態では、第１観察位置Ｐ１からプロジェクター９Ａの投射領域の中心位置までの距離をＬ４とする。
【００５６】
プロジェクター２Ａ，２Ｂ，２Ｃ，２Ｄが備える投射レンズ６は、投射画像を画角αでスクリーンＳｃ上に投射する。一方、プロジェクター９Ａ，９Ｂが備える投射レンズ６Ａは、投射画像を画角β（α＜β）でスクリーンＳｃ上に投射する。これらのうち、プロジェクター９Ａ，９Ｂは、投射レンズ６よりも投射画像の画角が大きい投射レンズ６Ａを備えており、これ以外の構成は、基本的にプロジェクター２Ａと同様である。
ここで、本実施形態において、画角は、投射レンズから投射される画像光の角度（angle of coverage）である。すなわち、図５に示すように、焦点面であるスクリーンＳｃまでの距離である投射距離を高さとし、投射画像の上下方向を底辺とする三角形における、底辺の対角の角度で規定され、投射距離と投射画像の上下方向の幅寸法とによって規定することができる。
【００５７】
本実施形態では、各プロジェクター２Ａ，２Ｂ，２Ｃ，２Ｄ，９Ａ，９Ｂは、例えば、液晶パネル４６の解像度及び投射距離が同一であり、投射レンズ６，６Ａによる画角を異ならせることで、投射画像の画素密度を異ならせている。
【００５８】
なお、投射画像の画素密度は、光変調装置としての液晶パネル４６の解像度、並びに、投射レンズ６，６Ａによる画角及び焦点距離（投射距離）に応じて決定される。
従って、投射レンズ６による画角αや焦点距離といった光学的特性は、投射画像の画素密度が、スクリーンＳｃから近い第１観察位置Ｐ１からの観察に適した画素密度となるように、プロジェクターの解像度や投射距離に応じて適宜設定すればよい。投射レンズ６Ａの上記光学的特性も同様に、投射画像の画素密度が、スクリーンＳｃから遠い第２観察位置Ｐ１からの観察に適した画素密度となるように設定すればよい。
また、本実施形態では、プロジェクター２Ａ，２Ｂ，２Ｃ，２Ｄ，９Ａ，９Ｂは、投射距離が等しくなるように設置されているが、焦点面までの距離が異なるように投射レンズ６，６Ａの光学的特性を適宜設定することで投射距離を変更することもできる。
【００５９】
本実施形態においても、各プロジェクター２Ａ，２Ｂ，２Ｃ，２Ｄの投射画像の表示領域は、それぞれ領域Ａｒ１ａ，領域Ａｒ１ｂ，領域Ａｒ１ｃ，領域Ａｒ１ｄである。また、各プロジェクター９Ａ，９Ｂの投射画像の表示領域は、それぞれ領域Ａｒ２ａ，領域Ａｒ２ｂである。
そして、プロジェクター２Ａ，２Ｂ，２Ｃ，２Ｄ，９Ａ，９Ｂの各投射画像が、全表示領域Ａｒ０内に表示されている（図４参照）。
【００６０】
以上説明した本実施形態に係るマルチプロジェクションシステム１Ａによれば、投射画像の画角を異ならせることによって投射画像の画素密度を異ならせており、前述の第１実施形態と同様に、１つの表示領域に画素密度が異なる投射画像を表示できる。これにより、第１実施形態と同様の効果を奏することができる他、以下の効果を奏することができる。
【００６１】
本実施形態では、投射レンズ６，６Ａに応じた画角によって、表示画像の画素密度を異ならせるており、遠視用画像用のプロジェクターか、近視用画像用のプロジェクターかを投射レンズに応じた画角によって設定することができる。これにより、近視用画像と遠視用画像とを併存可能とするとともに、表示内容に応じたマルチプロジェクションシステムの構築を容易に行うことができる。
【００６２】
また、投射レンズ６，６Ａによる画角が異なるプロジェクターを用いて、焦点距離を適宜設定することにより、本実施形態のように全てのプロジェクター２Ａ，２Ｂ，２Ｃ，２Ｄ，９Ａ，９Ｂを表示領域から等距離の位置に設置する等、各プロジェクターから表示領域までの距離を適宜設定することができ、プロジェクターの設置位置の自由度を向上させることができる。
例えば、本実施形態のマルチプロジェクションシステム１Ａのように、平面状のスクリーンＳｃに対して全てのプロジェクターを等距離の位置に設置しても画素密度の異なる投射画像を表示できる。これにより、１つのラックに複数のプロジェクターを設置できる等、設置位置の簡素化を図ることができる。
【００６３】
また、平面状のスクリーンＳｃに対して全てのプロジェクターを等距離の位置に設置することができるので、投射方向の前方に設置されたプロジェクターが、後方に設置されたプロジェクターの投射画像に干渉することがない。これにより、前方に設置されたプロジェクターによる投射画像への干渉を考慮せずにプロジェクターの設置位置を決定することができ、設置位置を容易に設定できる。
【００６４】
［第３実施形態］
以下、本発明の第３実施形態について説明する。
本実施形態のマルチプロジェクションシステムでは、投射画像の画角によって投射画像の画素密度を異ならせるようにした第２実施形態のマルチプロジェクションシステム１Ａにおいて、さらに、投射光学装置としてアナモフィックレンズを用いるプロジェクターを備えて構成されている。
【００６５】
図６は、第３実施形態に係るマルチプロジェクションシステムの概略構成を示す。
図６に示すマルチプロジェクションシステム１Ｂは、第２実施形態のマルチプロジェクションシステム１Ａと同様に、近視用画像を投射するプロジェクター２Ａ，２Ｂ，２Ｃ，２Ｄと、遠視用画像を投射するプロジェクター９Ａ，９Ｂとを備える。さらに、マルチプロジェクションシステム１Ｂは、プロジェクター１０Ａ，１０Ｂを備える。本実施形態においても、各プロジェクター２Ａ，２Ｂ，２Ｃ，２Ｄ，プロジェクター９Ａ，９Ｂ，１０Ａ，１０Ｂは、投射距離が等しくなる位置に、図示しないラックによって設置されている。
【００６６】
プロジェクター１０Ａ，１０Ｂは、投射レンズ６Ｂとしてアナモフィックレンズを備える。アナモフィックレンズは、縦方向及び横方向の拡大比が異なるレンズである。図６に示すように、プロジェクター１０Ａ，１０Ｂが備える投射レンズ６Ｂは、横方向の拡大比が、縦方向よりも大きくなっている。従って、プロジェクター１０Ａ，１０Ｂの投射画像は、横方向に拡張されており、プロジェクター２Ａ，２Ｂ，２Ｃ，２Ｄの投射画像よりも画素密度は低くなっている。これらプロジェクター１０Ａ，１０Ｂの投射画像は、それぞれ領域Ａｒ３ａ，Ａｒ３ｂに表示されている。なお、本実施形態において、全表示領域は、領域Ａｒ１ａ〜Ａｒ１ｄ，Ａｒ２ａ，Ａｒ２ｂ，Ａｒ３ａ，Ａｒ３ｂにより規定されている。
【００６７】
本実施形態では、投射レンズとしてアナモフィックレンズを用いることにより、縦横の拡大比が等しい通常のレンズを用いるよりも、横方向に引き延ばされた画像を表示することができる。これにより、横長の画像を表示することができ、表示内容の自由度を向上させることができる。従って、観察者の注意をより好適に引きつけることができ、広告として使用した際の広告効果をより一層向上させることができる。
【００６８】
なお、複数のプロジェクターにおいて投射画像の画素密度を異ならせることにより、近視用画像を観察するのに適した距離にいる観察者から観察し易い高さ、例えば、所定の観察位置にいる観察者の水平方向の視線位置に近視用画像を投射し、観察者がいる床面を基準として上方に向かうにつれて、すなわち、当該床面から離れるにつれて投射画像の画素密度が低くなるようにすることができる。
これにより、被投射面において観察者が近接可能な領域には、画素密度が高い近視用画像を配置し、床面から離れるにつれて、すなわち、観察者からの距離が離れるにつれて画素密度を低くすることができる。従って、所定の観察位置にいる観察者の水平方向の視線位置に近視用画像を表示させ、当該視線位置から上方に向かって離れるにつれて当該近視用画像よりも画素密度が低い投射画像を投射でき、観察者から投射位置までの距離に応じて当該観察者が観察するのに最適な画素密度を有する投射画像を表示することができる。
また、遠くにいる観察者に対しては、上方に配置された遠視用画像によってその注意を引きつけることができ、被投射面に近づいてきた観察者に対しては、下方に配置された近視用画像によってより詳細な情報を効率よく提供することができ、広告を表示した際の宣伝効果をより一層向上できる。
【００６９】
なお、本実施形態において、遠視用画像及び近視用画像を表示するために上記第２実施形態のように投射画像の画角が異なる投射レンズを有するプロジェクターを備えるマルチプロジェクションシステムを用いるとしたが、これに限らず、上記第１実施形態に記載のマルチプロジェクションシステム１を用いてもよい。
【００７０】
［第４実施形態］
以下、本発明の第４実施形態について説明する。
第１実施形態のマルチプロジェクションシステム１では、投射距離によって投射画像の画素密度を異ならせるように構成したが、本実施形態のマルチプロジェクションシステムでは、光変調装置としての液晶パネルの解像度によって投射画像の画素密度を異ならせるように構成する。
本実施形態に係るマルチプロジェクションシステム１Ｃと、上記第１実施形態のマルチプロジェクションシステム１とは、光変調装置としての液晶パネルの解像度によって投射画像の画素密度を異ならせる構成以外は、基本的に同様なので、以下の説明では、既に説明した部分と同一又は略同一である部分については説明を省略する。
【００７１】
図７は、第４実施形態に係るマルチプロジェクションシステム１Ｃの各プロジェクターの配置状態を示す図である。なお、本実施形態では、第１観察位置Ｐ１からプロジェクター１１Ａの投射領域の中心位置までの距離をＬ４とする。
マルチプロジェクションシステム１Ｃは、近視用画像を投射するプロジェクター２Ａ，２Ｂ，２Ｃ，２Ｄと、遠視用画像を投射するプロジェクター１１Ａ，１１Ｂと、を備える。
プロジェクター１１Ａ，プロジェクター１１Ｂは、解像度が低い液晶パネル４６Ａを備えており、これ以外の点は、基本的にプロジェクター２Ａと同様の構成を有する。
プロジェクター１１Ａ，プロジェクター１１Ｂの液晶パネル４６Ａは、プロジェクター２Ａが備える液晶パネル４６よりも低い解像度を有する。なお、液晶パネル４６，液晶パネル４６Ａの解像度は、投射画像の画素密度が、所望の画素密度となるように、投射距離に応じて適宜設定すればよい。
また、本実施形態では、プロジェクター２Ａ，２Ｂ，２Ｃ，２Ｄ，プロジェクター１１Ａ，プロジェクター１１Ｂは、投射距離が等しくなるように設置されている。また、投射画像の画角も同一である。
【００７２】
なお、光変調装置としての液晶パネルの解像度は、例えば、ＳＶＧＡ（横８００×縦６００ドット）、ＸＧＡ（横１０２４×縦７６８ドット）、ＳＸＧＡ（横１２８０×縦１０２４ドット）であり、プロジェクターは、液晶パネルのドット数が多ければ高精細な投射画像を表示できる。近視用画像を投射するプロジェクターとしては、ドット数が多い、例えば、ＳＸＧＡの液晶パネルを採用し、遠視用画像を投射するプロジェクターとしては、ドット数が少ない、例えば、ＳＶＧＡの液晶パネルを採用する。
【００７３】
本実施形態においても、各プロジェクター２Ａ，２Ｂ，２Ｃ，２Ｄの投射画像の表示領域は、それぞれ領域Ａｒ１ａ，領域Ａｒ１ｂ，領域Ａｒ１ｃ，領域Ａｒ１ｄである。また、プロジェクター１１Ａ，プロジェクター１１Ｂの投射画像の表示領域はそれぞれ領域Ａｒ２ａ，領域Ａｒ２ｂである。そして、プロジェクター２Ａ，２Ｂ，２Ｃ，２Ｄ，１１Ａ，１１Ｂの各投射画像が、全表示領域Ａｒ０内に表示されている（図４参照）。なお、本実施形態では、投射距離も画角も同じに設定されているため、各領域Ａｒ１ａ，Ａｒ１ｂ，Ａｒ１ｃ，Ａｒ１ｄ，Ａｒ２ａ，Ａｒ２ｂの大きさは同一である。
【００７４】
以上説明した本実施形態に係るマルチプロジェクションシステム１Ｃによれば、光変調装置の解像度によって投射画像の画素密度を異ならせており、前述の第１実施形態と同様に、１つの表示領域に画素密度が異なる投射画像を表示できる。これにより、第１実施形態と同様の効果を奏することができる他、以下の効果を奏することができる。
【００７５】
本実施形態では、液晶パネル４６，４６Ａの解像度によって、投射画像の画素密度を異ならせている。これにより、画素密度が近視用画像よりも低くてもよい遠視用画像を投射するためのプロジェクターとして、光変調装置の解像度が低い安価なプロジェクターを用いることができる。従って、マルチプロジェクションシステムを導入するためのコストを下げることができる。
【００７６】
［第５実施形態］
以下、本発明の第５実施形態について説明する。
本実施形態では、遠視用画像によって規定された全表示領域の内部に近視用画像を表示させており、近視用画像は、遠視用画像の表示領域の内部に表示されている。
図８は、上記各実施形態で詳細に説明した本発明に係るマルチプロジェクションシステムの適用例として、隣合う遠視用画像が接して配置されることで形成された全表示領域の内部に、近視用画像が表示されている表示態様の一例を示す。
図８に示すように、壁面Ｗに４つの遠視用画像が隣接して表示されている。そして、遠視用画像が表示されている領域Ａｒ２ｃ，Ａｒ２ｄ，Ａｒ２ｅ，Ａｒ２ｆによって全表示領域Ａｒ０が規定されている。
【００７７】
また、図８に示すように、全表示領域Ａｒ０の内部に近視用画像が、観察者が通る階段１２及び通路１３に沿って表示されている。すなわち、近視用画像が表示されている領域Ａｒ１ｅ，Ａｒ１ｆ，Ａｒ１ｇ，Ａｒ１ｈは、遠視用画像が表示されている領域Ａｒ２ｃ，Ａｒ２ｄ，Ａｒ２ｅ，Ａｒ２ｆの少なくともいずれかと重なっている。
【００７８】
このように、遠視用画像の表示領域に近視用画像を投射するには、遠視用画像の表示領域のうち、近視用画像の表示領域と重なる領域を黒表示とするように、遠視用画像を投射すればよい。
具体的には、例えば、コントローラー８は、近視用画像の表示領域に関する情報に基づいて、遠視用画像の表示領域と近視用画像の表示領域との重なり領域を黒表示とする遠視用画像の画像情報を、当該重なり領域を有する遠視用画像を投射するプロジェクターに入力する。例えば、領域Ａｒ２ｃにおけるＡｒ１ｇ及びＡｒ１ｈに対応する重なり領域を黒表示とする。なお、重なり領域は、近視用画像の表示領域に関する情報に基づいて算出されてもよいし、予め算出されて記憶されていてもよい。
【００７９】
本実施形態では、近視用画像との重なり領域を有する遠視用画像において、当該重なり領域を黒表示とすることで、遠視用画像の表示領域内の任意の位置に近視用画像を表示させることができる。
また、図８では、矩形の近視用画像を表示しているが、本発明では、プロジェクターを用いて近視用画像を投射しているので、近視用画像の外形を円形や楕円形や各種多角形とすることもできるし、上記各種図形形状に限らず、任意の形状とでき、これにより近視用画像の表示領域を疑似的に任意の形状とすることができる。この場合も、近視用画像の外形に関する情報に基づいて、遠視用画像における重なり領域を黒表示として遠視用画像を表示すればよい。このように、遠視用画像の表示領域内の任意の位置に、任意の形状の近視用画像を表示させることができ、ＦＰＤ等を組み合わせる場合と比較して近視用画像の形状を自由に設定でき、表示内容や投射画像のレイアウト等の表示の自由度を向上させることができる。
【００８０】
［実施形態の変形］
本発明は上記各実施形態に限定されず、上記実施形態を適宜組み合わせてもよく、本発明の目的を達成できる範囲での変形、改良等は本発明に含まれるものである。
上記第２実施形態では、投射光学装置である投射レンズ６，６Ａによって投射画像の画角を設定する構成としたが、本発明はこれに限らず、各プロジェクターが、投射レンズから投射された投射画像の画角を変更する画角変更手段を別途備える構成であってもよい。
上記第２，第３，第４実施形態では、各プロジェクターの投射距離が等しい構成を例示したが、本発明はこれに限らず、所望の画素密度の投射画像を表示可能であれば投射距離が異なるようにしてもよい。
上記各実施形態及び各変形例では、投射面を平面としたが、本発明はこれに限らず、曲面であってもよい。
【００８１】
上記各実施形態及び各変形例では、投射位置が上方に向かうにつれて当該投射位置に投射される投射画像の画素密度を低くするとしたが、本発明はこれに限らない。所定の観察位置から投射位置までの距離が近いプロジェクターの投射画像の画素密度を高く、遠い方を低くなるようにしてもよい。これにより、所定の観察位置から投射位置の距離に応じて投射画像の画素密度を当該投射位置にいる観察者が観察するのに適した値に設定することができる。
【００８２】
上記各実施形態及び各変形例では、複数の遠視用画像を用いて１つの画像を形成することを例示したが、複数の遠視用画像はそれぞれ関連しない画像であってもよい。また、近視用画像も同様に関連しない画像であってもよい。
この場合、複数のプロジェクターを関連付けて制御するコントローラー８は不要であり、本発明に係るマルチプロジェクションシステムは、コントローラー８を必ずしも備えていなくてもよい。
【００８３】
上記各実施形態及び各変形例では、スクリーンＳｃの後方から画像を投射するリア投射型のマルチプロジェクションシステムについて説明したが、本発明はこれに限定されず、スクリーンＳｃの前方から画像を投射するフロント投射型のマルチプロジェクションシステムであってもよいし、リア投射とフロント投射とを併用するマルチプロジェクションシステムであってもよい。
【００８４】
上記各実施形態及び各変形例では、近視用画像を表示する複数のプロジェクターを備えるとしたが、本発明はこれに限らず、近視用画像を表示する１つのプロジェクターを備える構成としてもよい。
また、上記各実施形態及び各変形例では、遠視用画像を表示する複数のプロジェクターを備える構成としたが、本発明はこれに限らず、遠視用画像を表示する１つのプロジェクターを備える構成としてもよい。
【００８５】
上記各実施形態及び各変形例では、光変調装置としての液晶パネルを３つ備えるプロジェクターを例示したが、本発明はこれに限らない。すなわち、２つ以下、あるいは、４つ以上の光変調装置を用いたプロジェクターにも、本発明を適用可能である。
上記各実施形態及び各変形例では、光学ユニットは平面視略Ｌ字形状を有した構成を説明したが、これに限らず、例えば、平面視略Ｕ字形状を有した構成を採用してもよい。
【産業上の利用可能性】
【００８６】
本発明は、表示内容や、投射画像のレイアウト等の表示の自由度が要望されるマルチプロジェクションシステムにおいて利用でき、特に、不特定多数の観察者に対して大画面の広告表示を行うマルチプロジェクションシステムに好適に利用できる。
【符号の説明】
【００８７】
１，１Ａ，１Ｂ，１Ｃ…マルチプロジェクションシステム、２Ａ，２Ｂ，２Ｃ，２Ｄ…第１のプロジェクター、２Ｅ，２Ｆ，９Ａ，９Ｂ，１１Ａ，１１Ｂ…第２のプロジェクター、４６，４６Ａ…液晶パネル（光変調装置）、Ｌ１，Ｌ２…投射距離、Ｌ３，Ｌ４…所定の観察位置からの距離、α，β…画角、Ａｒ０…全表示領域。
【図１】
2014109696.tif 000003
【図２】
2014109696.tif 000004
【図３】
2014109696.tif 000005
【図４】
2014109696.tif 000006
【図５】
2014109696.tif 000007
【図６】
2014109696.tif 000008
【図７】
2014109696.tif 000009
【図８】
2014109696.tif 000010